(57)【特許請求の範囲】
【請求項１】
記録媒体に記録されたビデオデータを再生する際に、ビデオデータの画面数Ｍを１ブロックとして、ブロック単位で秒単位の再生時間を表示する場合の再生時間を計測する時間計測装置であって、
上記ブロックのブロック番号Ｎと、１秒当たりの画面数Ｌとから、再生時間を（Ｎ・Ｍ／Ｌ）として演算する第１の時間カウント手段と、
１秒毎にアップカウントして再生時間を演算する第２の時間カウント手段と、
上記（Ｎ・Ｍ／Ｌ）の剰余が０となるブロック番号のときに、上記第１の時間カウント手段により求められる再生時間により、上記第２の時間カウント手段から求められる再生時間を較正する手段と
を備え、
上記第２の時間カウント手段から求められる再生時間を表示するようにした
ことを特徴とする時間計測装置。
【請求項２】
記録媒体に記録されたビデオデータを再生する際に、ビデオデータの画面数Ｍを１ブロックとして、ブロック単位で秒単位の再生時間を表示する場合の再生時間を計測する時間計測方法であって、
上記ブロックのブロック番号Ｎと、１秒当たりの画面数Ｌとから、再生時間を（Ｎ・Ｍ／Ｌ）として演算するステップと、
１秒毎にアップカウントして再生時間を演算するステップと、
上記（Ｎ・Ｍ／Ｌ）の剰余が０となるブロック番号のときに、上記（Ｎ・Ｍ／Ｌ）として演算した再生時間により、上記１秒毎にアップカウントして求めた再生時間を較正する較正のステップと
を備え、
上記１秒毎にアップカウントして求めた再生時間を上記較正のステップで較正した再生時間を表示するようにした
ことを特徴とする時間計測方法。
【発明の詳細な説明】
【０００１】
【発明の属する技術分野】
この発明は、番組が絶えず記録媒体に記録されるようなテレビジョン受像機において再生時間を表示するに用いて好適な時間計測装置及び方法に関する。
【０００２】
【従来の技術】
テレビジョン放送を楽しんでいる最中に、突然、電話の呼出しが鳴ったり、来客があり、放送番組を見逃してしまうことが良くある。テレビジョン放送番組を見逃してしまうと、再放送される番組を除いて、その番組は二度と見ることはできない。短期間のうちに再放送される番組はまれであり、ニュース番組やスポーツ番組は、殆どの場合には、再放送されていない。したがって、多くの場合、テレビジョン放送番組を見逃してしまうと、その番組は二度と見ることはできないことになる。
【０００３】
また、映画やドラマの名場面、重要人物のインタビュー、スポーツ番組のハイライトシーン等、放送番組を見ていて、保存しておきたい場面が突然に始まる場合がある。このような場合、直ちにＶＴＲをセットしても、その場面に間に合わず、その場面を録画できないようなことが良くある。
【０００４】
そこで、本願発明者は、放送番組を見ている最中に、その番組を絶えず記録媒体に記録するようなテレビジョン受像機を提案している。このようなテレビジョン受像機では、突然の電話の呼出しや来客があっても、その番組を遡って再生することができ、番組を見逃すことがなくなる。また、その番組を簡単に保存しておくことができ、記録しておきたい番組が突然始まっても対処できる。
【０００５】
また、本願発明者は、このように番組を絶えず記録媒体に記録するようなテレビジョン受像機における記録媒体として、ハードディスクドライブを用いることを提案している。従来、ビデオ信号を記録する記録媒体としては、磁気テープが広く用いられている。ところが、磁気テープはアクセス速度が遅く、このようなテレビジョン受像機に用いられる記録媒体として用いるのは困難である。また、半導体メモリを用いることが考えられるが、大容量の半導体メモリは非常に高価であると共に、半導体メモリでは、電源が落とされると保存しておいた番組が消えてしまい、番組を長く保存しておくような場合に不向きである。これに対して、ハードディスクドライブは、大容量で、アクセス速度も十分に速い。
【０００６】
このように、ハードティスクドライブが内蔵されたテレビジョン受像機において、ハードディスクドライブに記録されたビデオデータを再生する場合に、再生時間が表示できるようにすることが望まれる。再生時間を表示させる場合、例えば、読み出されたフィールド数から再生時間を演算により求めることが考えられる。
【０００７】
つまり、例えば、フィールド数Ｍを１ブロックとしてビテオデータの処理を行なっている場合、１秒間当たりのフィールド数をＬとすると、ブロック番号Ｎの再生時間Ｔは、
Ｔ＝Ｎ・Ｍ／Ｌ
として演算できる。
【０００８】
例えば、ハードディスクドライブからのデータを６４フィールドを１ブロックをとして処理した場合、ＮＴＳＣ方式の１秒間当たりのフィールド数は６０フィールドであるから、１ブロック当たりの時間は、
（Ｍ／Ｌ）＝（６４／６０）秒
である。したがって、ブロック番号Ｎの再生時間Ｔは、
Ｔ＝Ｎ・６４／６０
として演算できる。
【０００９】
このようにして、ブロック番号から再生時間を求めると、図７に示すようになる。例えば、図７に示すように、ブロックナンバ「１３０」の所が「２分１８秒」となり、ブロックナンバ「１３１」の所が「２分１９秒」、ブロックナンバ「１３２」の所が「２分２０秒」、ブロックナンバ「１３３」の所が「２分２１秒」、ブロックナンバ「１３４」の所が「２分２２秒」となっていく。
【００１０】
【発明が解決しようとする課題】
ところが、上述のようにしてブロック番号から再生時間を演算すると、１ブロックのフィールド数が１秒間当たりのフィールド数より多いため、１ブロック当たりに進む時間は１秒よりも大きい値となる。このため、このようにして求められたタイマ値には、連続しなくなる所が生じる。
【００１１】
つまり、図７では、ブロックナンバ「１３４」の所が「２分２２秒」となり、ブロックナンバ「１３５」の所が「２分２４秒」となり、「２分２３秒」が抜けてしまう。このような秒数の抜け生じてタイマ値が不連続になると不自然であると共に、秒数を単位としてアクセスしようとした場合に、問題が生じる。
【００１２】
なお、１秒毎に進むカウンタを用いて再生時間を表示すれば、このようなカウント値の抜けは生じないが、この場合には、実際の再生時間と、１カウンタの進む時間との誤差が堆積し、正しい再生時間の表示が行なえないという問題がある。
【００１３】
したがって、この発明の目的は、連続的な表示が行なえると共に、正確な再生時間を計測できる時間計測装置及び方法を提供することにある。
【００１４】
【課題を解決するための手段】
この発明は、記録媒体に記録されたビデオデータを再生する際に、ビデオデータの画面数Ｍを１ブロックとして、ブロック単位で秒単位の再生時間を表示する場合の再生時間を計測する時間計測装置であって、ブロックのブロック番号Ｎと、１秒当たりの画面数Ｌとから、再生時間を（Ｎ・Ｍ／Ｌ）として演算する第１の時間カウント手段と、１秒毎にアップカウントして再生時間を演算する第２の時間カウント手段と、（Ｎ・Ｍ／Ｌ）の剰余が０となるブロック番号のときに、第１の時間カウント手段により求められる再生時間により、第２の時間カウント手段から求められる再生時間を較正する手段とを備え、第２の時間カウント手段から求められる再生時間を表示するようにしたことを特徴とする時間計測装置である。
また、この発明は、記録媒体に記録されたビデオデータを再生する際に、ビデオデータの画面数Ｍを１ブロックとして、ブロック単位で秒単位の再生時間を表示する場合の再生時間を計測する時間計測方法であって、ブロックのブロック番号Ｎと、１秒当たりの画面数Ｌとから、再生時間を（Ｎ・Ｍ／Ｌ）として演算するステップと、１秒毎にアップカウントして再生時間を演算するステップと、（Ｎ・Ｍ／Ｌ）の剰余が０となるブロック番号のときに、（Ｎ・Ｍ／Ｌ）として演算した再生時間により、１秒毎にアップカウントして求めた再生時間を較正する較正のステップとを備え、１秒毎にアップカウントして求めた再生時間を較正のステップで較正した再生時間を表示するようにしたことを特徴とする時間計測方法である。
【００１５】
ビデオ信号の処理を、画面数Ｍからなるブロック単位で行なう。そして、ブロックのブロック番号Ｎと、１秒間当たりの画面数Ｌとから、再生時間を（Ｎ・Ｍ／Ｌ）として、再生時間を求める。このようにして求められた再生時間は、秒数が連続しない所が生じる場合がある。一方、１秒毎にアップカウントして再生時間を演算すると、実際の再生時間との誤差が生じることがある。この発明では、（Ｎ・Ｍ／Ｌ）の剰余が０となるブロック番号のときに、１秒毎にアップカウントして再生時間を、（Ｎ・Ｍ／Ｌ）により求められた再生時間により更新している。これにより、秒数の連続が保てると共に、誤差が累積しない。
【００１６】
【発明の実施の形態】
以下、この発明の実施の形態について図面を参照して説明する。この発明は、テレビジョン受像機にハードディスクドライブが内蔵されているテレビジョン受像機に適用できる。このようなハードディスクドライブが備えられたテレビジョン受像機では、見逃したシーンや再度見たいシーンを遡って再生したり、所望の番組を記録再生したりというようなことが可能になる。
【００１７】
図１は、この発明が適用できるテレビジョン受像機の構成を示すものである。図１において、アンテナ１で受信された受信信号は、チューナ回路２に供給される。チューナ回路２には、システムコントローラ１０からチャンネル設定信号が供給される。チューナ回路１０で、このチャンネル設定信号に基づいて、所望の受信チャンネルの信号が選択され、この信号が中間周波数信号に変換される。
【００１８】
チューナ回路２の出力が映像中間周波数回路３に供給される。映像中間周波数回路３で、チューナ回路２からの中間周波数信号が増幅され、この信号がビデオ検波される。これにより、例えばＮＴＳＣ方式のコンポジットビデオ信号が得られる。このビデオ信号がビデオソース切り替えスイッチ５の一方の入力端子５Ａに供給される。また、中間周波数回路３の出力の例えば４．５ＭＨｚのビート成分から音声信号が検波される。この出力が音声復調回路１２に供給される。
【００１９】
ビデオソース切り替えスイッチ５の他方の入力端子５Ｂには、外部ビデオ入力端子６からのビデオ信号が供給される。ビデオソース切り替えスイッチ５には、システムコントローラ１０からセレクト信号が供給される。ビデオソース切り替えスイッチ５により、受信されたテレビジョン放送に基づくビデオ信号と、外部ビデオ入力端子６からのビデオ信号とが切り替えられる。
【００２０】
ビデオソース切り替えスイッチ５の出力がビデオ信号処理回路７に供給される。ビデオ信号処理回路７により、ＮＴＳＣ方式のコンポジットビデオ信号から輝度信号Ｙとクロマ信号Ｃとが分離され、更に、クロマ信号Ｃから色差信号Ｕ、Ｖが復調され、コンポーネントビデオ信号Ｙ、Ｕ、Ｖが形成される。このコンポーネントビデオ信号Ｙ、Ｕ、Ｖは、スイッチ回路８の端子８Ａに供給されると共に、ビデオ信号をハードディスクドライブ３０に保存するために、Ａ／Ｄコンバータ２１に供給される。スイッチ回路８の他方の入力端子８Ｂには、ハードディスクドライブ３０からの再生画面を出力するために、Ｄ／Ａコンバータ３５の出力が供給される。
【００２１】
スイッチ回路８は、受信しているテレビジョン放送又は外部ビデオ入力端子６からのビデオ信号に基づく画面と、ハードディスクドライブ３０からの再生画面とを切り替えるためのものである。スイッチ回路８は、システムコントローラ１０により制御される。受信しているテレビジョン放送又は外部ビデオ入力端子６からのビデオ信号に基づく画面を映出する場合には、スイッチ回路８が端子８Ａ側に切り替えられる。ハードディスクドライブ３０からの再生画面を映出する場合には、スイッチ回路８が端子８Ｂ側に切り替えられる。
【００２２】
スイッチ回路８の出力が映像出力回路９に供給される。映像出力回路９は、スイッチ回路８からのコンポーネットビデオ信号Ｙ、Ｕ、Ｖから、３原色信号Ｒ、Ｇ、Ｂを形成するマトリクス回路と、この３原色信号Ｒ、Ｇ、Ｂをドライブしてカラー受像管１１に供給するための映像増幅回路とを有する。映像出力回路９で、スイッチ回路８からのコンポーネントビデオ信号Ｙ、Ｕ、Ｖが３原色信号Ｒ、Ｇ、Ｂに変換され、カラー受像管１１に供給される。
【００２３】
また、中間周波数回路３の出力の例えば４．５ＭＨｚのビート成分から検波れた音声信号は、音声復調回路１２に供給される。音声復調回路１２で、オーディオ信号が復調される。このオーディオ信号がオーディオソース切り替えスイッチ１３の入力端子１３Ａに供給される。
【００２４】
オーディオソース切り替えスイッチ１３の他方の端子１３Ｂには、外部オーディオ入力端子１４からのオーディオ信号が供給される。オーディオソース切り替えスイッチ１３により、受信されたテレビジョン放送に基づくオーディオ信号と、外部オーディオ入力端子１４からのオーディオ信号とが選択される。
【００２５】
オーディオソース切り替えスイッチ１３の出力は、スイッチ回路１５の端子１５Ａに供給されると共に、音声信号をハードディスクドライブ３０に保存するために、Ａ／Ｄコンバータ２５に供給される。スイッチ回路１５の他方の入力端子１５Ｂには、ハードディスクドライブ３０からの音声信号を出力するために、Ｄ／Ａコンバータ３８の出力が供給される。
【００２６】
スイッチ回路１５は、受信しているテレビジョン放送又は外部オーディオ入力端子１４からのオーディオ信号と、ハードディスクドライブ３０から再生されたオーディオ信号との切り替えを行なうものである。スイッチ回路１５は、システムコントローラ１０により制御される。受信しているテレビジョン放送又は外部オーディオ入力端子１４からのオーディオ信号を出力する場合には、スイッチ回路１５が端子１５Ａ側に切り替えられる。ハードディスクドライブ３０からのオーディオ信号を出力する場合には、スイッチ回路１５が端子１５Ｂ側に切り替えられる。
【００２７】
スイッチ回路１５の出力がオーディオアンプ１６に供給される。オーディオアンプ１６で、スイッチ回路１５からのオーディオ信号が増幅される。このオーディオ信号がスピーカ１７に供給される。
【００２８】
また、ビデオ信号処理回路７からのコンポーネントビデオ信号Ｙ、Ｕ、Ｖは、ハードディスクドライブ３０で保存するために、Ａ／Ｄコンバータ２１に供給される。Ａ／Ｄコンバータ２１で、ビデオ信号処理回路１７からのコンポーネントビデオ信号がディジタル化される。Ａ／Ｄコンバータ２１の出力がフィールドメモリ２２に供給される。フィールドメモリ２２の出力が画像圧縮回路２３に供給される。画像圧縮回路２３で、このコンポーネントビデオ信号が圧縮される。画像の圧縮方式としては、例えば、モーションＪＰＥＧが用いられ、１フィールドの符号量が等しくなるように圧縮される。画像圧縮回路２３で圧縮されたビデオデータは、バッファメモリ２４を介して、バス２９に送出される。
【００２９】
オーディオソース切り替え回路１３からのオーディオ信号は、ハードディスクドライブ３０で保存するために、Ａ／Ｄコンバータ２５に供給される。Ａ／Ｄコンバータ２５で、オーディオソース切り替え回路１３からのオーディオ信号がディジタル化される。Ａ／Ｄコンバータ２５の出力が音声圧縮回路２６に供給される。音声圧縮回路２６で、オーディオ信号が圧縮される。音声の圧縮方式としては、例えば、ノンリニアＰＣＭが用いられる。音声圧縮回路２６で圧縮されたオーディオデータは、バッファアンプ２８を介して、バス２９に送出される。
【００３０】
バッファメモリ２４からのビデオデータと、音声圧縮回路２６からのオーディオデータは、固定長のファイルに合成される。各ファイルには、所定のヘッダが設けられる。
【００３１】
このように、固定長のファイルに合成されたビデオデータとオーディオデータが、ＣＰＵ（Central Processing Unit ）からなる記録／再生コントローラ２７の制御の基に、バス２９を介して、ハードディスクドライブ３０に記録される。これにより、ハードディスクドライブ３０にビデオデータ及オーディオデータが貯えられる。
【００３２】
ハードディスクドライブ３０に記録されているビデオデータ及び及びオーディオデータは、記録／再生コントローラ２７の制御の基に、再生される。ハードディスクドライブ３０からの再生データは、バス２９を介して、バッファメモリ３１及び３２に供給される。
【００３３】
バッファメモリ３１からのビデオデータは、画像伸長回路３２に供給される。画像伸長回路３２で、例えばモーションＪＰＥＧで圧縮されていたビデオデータから、コンポーネントビデオデータＹ、Ｕ、Ｖが形成される。画像伸長回路３２の出力が、マルチ画面を形成するための画像処理回路３３、フィールドメモリ３４を介して、Ｄ／Ａコンバータ３５に供給される。Ｄ／Ａコンバータ３５で、ディジタルビデオ信号がアナログビデオ信号に変換される。このＤ／Ａコンバータ３５の出力がスイッチ回路８の端子８Ｂに供給される。
【００３４】
また、バッファメモリ３６からのオーディオデータは、音声伸長回路３７に供給される。音声伸長回路３７の出力がＤ／Ａコンバータ３８に供給される。Ｄ／Ａコンバータ３８によりディジタルオーディオ信号がアナログオーディオ信号に変換される。このＤ／Ａコンバータ３８の出力がスイッチ回路１５の端子１５Ｂに供給される。
【００３５】
システムコントローラ１０は、テレビジョン受像機の全体の制御を行なっている。システムコントローラ１０と、記録／再生処理コントローラ２７とは、双方向に接続される。
【００３６】
システムコントローラ１０には、受光部４２を介して、リモートコマンダ５２から入力が与えられる。このリモートコマンダ５２からの入力に基づいて、各種の動作が設定される。システムコントローラ１０の出力が表示発生回路４４に供給される。表示発生回路４４からは、各種の動作設定状態を示す表示信号が発生される。この表示発生回路４４の出力が映像出力回路９に供給され、各種の動作状態が画面上に表示される。また、システムコントローラ１０に対して、タイマ４５が設けられる。タイマ４５は、番組を保存する時間を設定する際に用いられる。
【００３７】
この発明が適用されたテレビジョン受像機は、図２に示すように、リモートコマンダ５２を用いて操作することができる。
【００３８】
リモートコマンダ５２には、テレビジョン受像機の基本的な設定を行なうための各種のキー、すなわち、テレビジョン受像機の電源のオン／オフするための電源スイッチ６１、チャンネル設定を行なうためのチャンネルキー６２、６２、６２、・・・、チャンネルアップ／ダウンキー６３Ａ及び６３Ｂ、音量アップ／ダウンキー６４Ａ及び６４Ｂ、入力ソース切り換えスイッチ６５が配設される。
【００３９】
更に、この発明が適用されたテレビジョン受像機を操作するためのリモートコマンダ５２には、テレビジョン受像機のハードディスクドライブ３０の記録／再生を制御するための各種のキーとして、番組ポーズキー６６、ブックマーク記録キー６７、区間リピートキー６８、キャンセルキー６９、逆転スキップ再生キー７０、逆転高速送りキー７１、２倍速キー７２、正転高速送りキー７３、正転スキップキー７４、オーバービュー検索キー７５、矢印キー７６Ａ、７６Ｂ、決定キー７７が配設される。
【００４０】
番組ポーズキー６６が押されると、受信中の画面がその場で停止され、静止画として表示される。その間、テレビジョン受像機のハードディスクドライブ３０に、その番組が記録される。番組ポーズキー６６が再び押されると、静止画となっている所の場面から、ハードディスクドライブ３０に記録されている番組が再生される。
【００４１】
ブックマーク記録キー６７が押されると、このとき放送されている番組をテレビジョン受像機のハードディスクドライブ３０に保存させることができる。
【００４２】
区間リピートキー６８により、リピート再生が設定される。区間リピートキー６８が最初に押されると、リピートの開始位置が設定され、区間リピートキー６８が次に押されると、リピートの終了位置が設定される。
【００４３】
キャンセルキー６９は、設定された動作や機能をキャンセルさせる際に押される。
【００４４】
逆転スキップ再生キー７０、逆転高速送りキー７１、２倍速キー７２、正転高速送りキー７３、正転スキップキー７４は、変速再生行なうためのキーである。
【００４５】
オーバービュー検索キー７５、矢印キー７６Ａ、７６Ｂ、決定キー７７は、番組検索に用いられる。オーバービュー検索キー７５が押されると、テレビジョン受像機の画面が、中央の画面と、周囲の複数の小画面とに分割される。周囲の小画面には、ハードディスクドライブ３０に記録されている画面の中から、所定時間毎の画面が表示される。矢印キー７６Ａ及び７６Ｂの操作により、複数の画面の中から、所望の画面が選択され、再生開始位置が検索されると、決定キー７７が押される。決定キー７７が押されると、選択された画面から再生が開始される。
【００４６】
このように、この発明が適用されたテレビジョン受像機のリモートコマンダ５２には、オーバービュー検索キー７５が設けられている。このオーバービュー検索キー７５を用いると、ハードディスクドライブ３０に記録されている情報の中から所望の再生開始位置を簡単に検索することができる。
【００４７】
つまり、ハードディスクドライブ３０の記録時間を例えば６０分とすると、オーバービュー検索キー７５が押されると、この６０分の記録画面が例えば５分毎に分割され、５分毎の画面がインデックス画像として表示される。
【００４８】
すなわち、図３に示すように、画面８０が複数の小画面８１Ａ、８１Ｂ、８１Ｃ、・・・・に分割される。画面８１Ａの画面を「０分」の画面とすると、画面８１Ｂ、８１Ｃ、８１Ｄ、・・・・には、「５分」、「１０分」、「１５分」・・・・の画面が表示される。各画面８１Ａ、８１Ｂ、８１Ｃ、・・・・の時間順は、ユーザが認識しやすいように、時計回りとされている。各画面８１Ｂ、８１Ｃ、８１Ｄ、・・・・中には、経過時間が文字表示される。中央の小画面８３には、選択されている画面の動画が映出される。
【００４９】
これら５分毎の画面８１Ａ、８１Ｂ、８１Ｃ、・・・・から、所望の注目画面が選択される。注目画面の選択は、リモートコマンダの矢印キー７６Ａ及び７６Ｂの操作により行なわれる。画面８１Ａ〜８１Ｌの中で、選択された画面には、他の画面枠とは異なる画面枠８２が表示される。これと共に、中央の画面８０には、選択された注目画面に対応する動画像が映出される。この動画像中には、経過時間が文字表示される。現在再生されている時間帯がどのインデックス画像の時間帯と関連付けられているかは、画面枠の色を同じにすることにより視覚的に分かるようにされている。
【００５０】
更に、オーバービュー検索キー７５が押されると、図３Ｂに示すよう、各画面が１分づつオフセットされ、画面８１Ａ、８１Ｂ、８１Ｃ、８１Ｄ、・・・・には、「１分」、「６分」、「１１分」、「１６分」、・・・・の画面が表示される。そして、更に、オーバービュー検索キー７５が押されると、各画面が更に１分づつオフセットされ、画面８１Ａ、８１Ｂ、８１Ｃ、８１Ｄ、・・・・には、「２分」、「７分」、「１２分」、「１７分」の画面が表示される。
【００５１】
ユーザは、これらのインデックス画面８１Ａ、８１Ｂ、８１Ｃ、・・・・を見ながら、動画再生を開始したい時間帯を検索する。動画再生を開始したい時間帯が検索されると、決定キー７７が押される。決定キー７７が押されると、図３Ｃに示すように、フル画面表示となり、選択された時刻の画面から動画の再生が開始される。
【００５２】
このように、この発明では、現在再生されている時間帯がどのインデックス画像の時間帯と関連付けられているかは、画面枠の色を同じにすることにより視覚的に分かる。また、各画面８１Ａ、８１Ｂ、８１Ｃ、８１Ｄ、・・・・に映出されるインデックス画面の時間順は、実生活を考慮して、時計回りとされている。また、各インデックスの画面８１Ａ、８１Ｂ、８１Ｃ、８１Ｄ、・・・・には、経過時間が文字を表示され、中央の画面８３の動画像には、詳細な再生経過時間が文字表示される。このため、ユーザは時間の認識がしやすく、検索が容易である。
【００５３】
このように、オーバービュー検索キー７５が押されると、ハードディスクドライブ３０に記録されている６０分の記録画面が例えば５分毎に分割され、複数の画面８１Ａ、８１Ｂ、８１Ｃ、８１Ｄ、・・・・に映出される。更に、オーバービュー検索キー７５が押されると、各画面が１分づつオフセットされている。したがって、これらのインデックス画面８１Ａ、８１Ｂ、８１Ｃ、８１Ｄ、・・・・のどこかで、ユーザが検索したい画面のインデックスとなる画像が映出され、この画面から、所望の再生開始位置を検索することができる。
【００５４】
このように、再生画面中には、再生時間が文字表示される。この発明は、上述のように、ハードディスクドライブ３０で再生している画面の再生時間を表示するのに用いられる。
【００５５】
図４は、再生時間のカウント値を求めるための構成を示す機能ブロック図である。この例では、６４フィールドを１ブロックとして処理が行なわれている。
【００５６】
図４において、ブロック検出回路１０１は、６４フィールド毎のブロックの変化点を検出し、ブロックの変化点でブロック番号を出力する。このブロック番号が時間カウンタ１０２に供給される。
【００５７】
時間カウンタ１０２は、このブロック番号に基づいて、再生時間Ｔ1 を演算する。すなわち、１ブロックのフィールド数Ｍをとしてビテオデータの処理を行い、１秒間当たりのフィールド数をＬとすると、ブロック番号Ｎの再生時間Ｔ1 は、
Ｔ1 ＝Ｎ・Ｍ／Ｌ
として演算できる。１ブロックのフィルード数Ｍは６４フィールドであり、ＮＴＳＣ方式では１ブロックのフィールド数Ｍは６０であるから、再生時間Ｔ1 は、Ｔ1 ＝Ｎ・６４／６０
で求められる。時間カウンタ１０２は、上述のような演算を行なって、再生時間Ｔ1 を求める。
【００５８】
時間カウンタ１０３は、基準ブロック発生回路１０４からの１秒毎のクロックを計数して、再生時間Ｔ2 を求める。
【００５９】
ブロック数判断回路１０５は、ブロック検出回路１０１からのブロック番号を基に、（Ｎ・Ｍ／Ｌ）の剰余が０となるブロック番号であるか否かを検出している。そして、（Ｎ・Ｍ／Ｌ）の剰余が０となるブロック番号のときに、較正回路１０６を作動させ、時間カウンタ１０３の値を時間カウンタ１０２の値により較正するようにしている。
【００６０】
つまり、時間カウンタ１０２で求められる時間Ｔ1 は、（Ｍ／Ｌ）秒、すなわち（６４／６０）秒で進められていく。ＭとＬとの公倍数となるブロック番号毎に、すなわち、６４と６０との公倍数となるブロック番号、１５、３０、４５、・・・・毎に、（Ｎ・Ｍ／Ｌ）の剰余が０となる。（Ｎ・Ｍ／Ｌ）の剰余が０のときには、時間カウンタ１０２の時間Ｔ1 と時間カウンタ１０３の時間Ｔ2 とが一致するはずである。このことから、（Ｎ・Ｍ／Ｌ）の剰余が０となるブロック番号のときに、時間カウンタ１０３の値Ｔ2 を時間カウンタ１０２の値Ｔ1 により較正すれば、時間カウンタ１０３の誤差が堆積されなくなる。
【００６１】
このようにして求められた、時間カウンタ１０３の値により再生時間を表示するようにすれば、再生時間が連続すると共に、誤差が堆積されずに、正しい時間を表示できる。
【００６２】
例えば、ブロック番号１３０、１３１、１３２、・・・・では、時間カウンタ１０２の値は、図５Ａに示すようになり、秒の時間に抜けが生じる。一方、図５Ｂに示すこの時間カウンタ１０３から得られる再生時間は連続しているが、１秒毎のクロックを計数して求めているため、実際の再生時間との間に僅かに誤差が生じている可能性がある。（Ｎ・６４／６０）の剰余が０となるブロック番号Ｎのときに、時間カウンタ１０３の値を時間カウンタ１０２の値により較正すれば、図５Ｃに示すように、時間が連続すると共に、誤差のない再生時間を得ることができる。
【００６３】
なお、このような制御は、ソフトウェアにより行なうことができる。図６は、上述の処理を行なう場合のフローチャートを示すものである。図６において、ブロック番号の変化があったか否かが検出される（ステップＳＴ１）。ブロック番号の変化がなければ、１秒経過したか否かが判断される（ステップＳＴ２）。１秒経過したら、再生時間を時間計測する時間カウンタがインクリメントされ（ステップＳＴ３）、１秒タイマがセットされて（ステップＳＴ４）、リターンされる。ステップＳＴ２で、１秒経過していなければ、そのままリターンされる。ステップＳＴ２からＳＴ４の処理を行なうことにより、再生時間を時間計測する時間カウンタの値が１秒毎にインクリメントされていく。
【００６４】
ステップＳＴ１で、ブロック番号の変化があったことが検出されたら、ブロック番号Ｎから再生時間が計算される（ステップＳＴ５）。この計算は、上述のように、（Ｎ・６４／６０）で求められる。
【００６５】
演算の結果、剰余が発生しているか否かが判断される（ステップＳＴ６）。剰余があれば、リターンされる。剰余が無ければ、再生時間を時間計測する時間カウンタの値が、ブロック番号Ｎから求められた再生時間により更新される（ステップＳＴ７）。そして、１秒タイマがセットされ（ステップＳＴ８）、リターンされる。
【００６６】
なお、上述の例では、１ブロックを６４フィールドとしているが、勿論、１ブロックのフィールド数は、６４ブロックに限定されるものではない。また、上述の例では、フィールド数を６０Ｈｚとしているが、フィールド数が５０Ｈｚの場合にも同様に適用できる。
【００６７】
【発明の効果】
この発明によれば、ビデオ信号の処理を画面数Ｍからなるブロック単位で行ない、再生時間を（Ｎ・Ｍ／Ｌ）として求めると共に、１秒毎にアップカウントして再生時間を求めている。そして、（Ｎ・Ｍ／Ｌ）の剰余が０となるブロック番号のときに、１秒毎にアップカウントして求められた再生時間を、（Ｎ・Ｍ／Ｌ）により求められた再生時間により更新している。これにより、秒数の連続が保てると共に、誤差が累積しない。
【図面の簡単な説明】
【図１】この発明が適用できるテレビジョン受像機の一例のブロック図である。
【図２】この発明が適用できるテレビジョン受像機におけるリモートコマンダの説明に用いる平面図である。
【図３】インデッスク画面の説明に用いる略線図である。
【図４】この発明の実施の形態の一例の説明に用いる機能ブロック図である。
【図５】この発明の実施の形態の一例の説明に用いる略線図である。
【図６】この発明の実施の形態の一例の説明に用いるフローチャートである。
【図７】従来の再生時間の計測の説明に用いる略線図である。
【符号の説明】
１０１・・・ブロック検出回路、１０２、１０３・・・時間カウンタ、１０５・・・ブロック数判断回路、１０６・・・較正回路
【図１】
0003952535.tif 000002
【図２】
0003952535.tif 000003
【図３】
0003952535.tif 000004
【図４】
0003952535.tif 000005
【図５】
0003952535.tif 000006
【図６】
0003952535.tif 000007
【図７】
0003952535.tif 000008